(57)【特許請求の範囲】
【請求項１】
細長い連結管の手元側に、第１の指を係合させるための環状の第１の指かけが形成された手元部本体を設けると共に、上記連結管に軸線方向に進退自在に係合するロッドの手元側に、第２の指を係合させるための環状の第２の指かけが形成されたスライダーを設け、上記連結管と上記ロッドの先端側には、上記スライダーを上記手元部本体に対して摺動操作することによって遠隔的に進退駆動されて開閉する固定片と可動片からなる先端作動部材を設けた内視鏡用処置具において、
上記スライダーの移動量と上記先端作動部材の可動片の移動量とを等しく構成すると共に、上記第１の指かけと第２の指かけを上記連結管と上記ロッドから側方に各々同方向に同程度の長さ突出する状態に配置して、上記スライダーを上記手元部本体側に近づける方向に摺動操作して上記第１の指かけに第２の指かけを当接させた状態のときに上記先端作動部材が閉じ状態になるようにしたことを特徴とする内視鏡用処置具。
【請求項２】
上記連結管の先端に、上記先端作動部材の固定片が上記第１の指かけと逆方向に突出する状態に形成され、上記ロッドの先端に、上記先端作動部材の可動片が上記第２の指かけと逆方向に突出する状態に形成されている請求項１記載の内視鏡用処置具。
【発明の詳細な説明】
【０００１】
【産業上の利用分野】
この発明は、手元部本体に対してスライダーを摺動操作することにより、先端駆動部材が遠隔的に進退駆動されて開閉するようにした内視鏡用処置具に関する。
【０００２】
そのような内視鏡用処置具の手元側操作部には、操作部材を引っ張る方向に指を操作する方式と、鋏などと同様にして操作レバーを開閉操作する方式とがあり、本発明は前者に関するものである。
【０００３】
【従来の技術】
操作部材を引っ張る方向に指を操作する方式の内視鏡用処置具は、一般に、先端側の先端作動部材と指かけが形成された手元側のスライダーとを細長いシャフトで連結して構成されていて、スライダーを手元部本体に対して摺動操作することによって、先端作動部材が遠隔的に進退駆動されて開閉されるようになっている。
【０００４】
そして、シャフトをいっぱいに引っ張って先端作動部材を閉じたときに指の力がかかりやすいように、手元部本体に形成された第１の指かけに係合する指とスライダーに形成された第２の指かけに係合する指との間に、２〜５ｃｍ程度の隙間があくようになっている。
【０００５】
【発明が解決しようとする課題】
上述のように、先端作動部材を閉じたときにそれを遠隔的に進退操作する指と指との間にある程度の隙間があくようにすると、閉状態の時に指の力をかけるのには都合がよいが、先端作動部材が開いているときにその開きの程度を正確に判断することができない。
【０００６】
そのため、先端作動部に挟まれる患部の大きさや硬さを実感することができず、またさらにどの程度開閉させると出血の恐れがあるか等の判断が非常に難しくて、安全な使用をするのに相当の熟練を要する欠点がある。
【０００７】
そこで本発明は、先端作動部の開閉状態を手元側で実感することができて、容易に安全に使用することのできる内視鏡用処置具を提供することを目的とする。
【０００８】
【課題を解決するための手段】
上記の目的を達成するため、本発明の内視鏡用処置具は、手元側には、第１の指を係合させるための第１の指かけが形成された手元部本体と、第２の指を係合させるための第２の指かけが形成されて上記手元部本体に対して摺動自在に支持されたスライダーとを設け、先端側には、上記スライダーを上記手元部本体に対して摺動操作することによって遠隔的に進退駆動されて開閉する先端作動部材を設けた内視鏡用処置具において、上記スライダーの移動量と上記先端作動部材の移動量とが等しく、且つ上記先端作動部材が閉じ状態のときには上記第１の指かけに係合させた指と上記第２の指かけに係合させた指とがほぼ密接するように構成されていることを特徴とする。
【０００９】
【実施例】
図面を参照して実施例を説明する。
図２は、本発明を内視鏡用把持鉗子に適用した第１の実施例を示している。
【００１０】
先端作動部材は、例えばステンレス鋼等を素材とする一対の把持片１１，１２によって形成されており、その一方は固定片１１であり、他方は可動片１２である。
【００１１】
固定片１１は、図３に示されるようなＣ字状の断面に形成された細長い連結管２の先端に、連結管２のＣ字状の割れ目２ａとは逆方向に直角に突出して形成されている。
【００１２】
一方の可動片１２は、連結管２内に軸方向に進退自在に緩く嵌挿されたロッド３の先端に、固定片１１とあい対向するように直角に側方に突出して形成されている。
【００１３】
そして、連結管２の手元側の端部には、手元部本体４が先端の固定片１１とは逆方向に突出形成されていて、その手元部本体４には、操作する手の第１の指を差し込んで係合させるための第１の指かけ５が形成されている。
【００１４】
一方のロッド３の手元側の端部には、スライダー７が、図４にも示されるように連結管２の割れ目２ａから、手元部本体４と同方向に突出形成されている。そしてそのスライダー７には、操作する手の第２の指を差し込んで係合させるための第２の指かけ８が形成されている。
【００１５】
したがって、第１の指かけ５に第１の指を係合させると同時に第２の指かけ８には第２の指を係合させ、第２の指を第１の指に対して押し引き操作すれば、スライダー７が手元部本体４に対して摺動して移動し、それによって連結管２内でロッド３が軸方向に進退して、可動片１２と固定片１１との間の間隔が変化する。
【００１６】
その場合、第１の指かけ５が形成された手元部本体４と連結管２と固定片１１とは一体であり、第２の指かけ８が形成されたスライダー７とロッド３と可動片１２とは一体であるから、第１の指かけ５に対する第２の指かけ８の移動方向及び移動量と、連結管２に対するロッド３の移動方向及び移動量と、固定片１１に対する可動片１２の移動方向及び移動量は各々等しくなっている。
【００１７】
したがって、スライダー７を手元部本体４に対して摺動操作することによって、可動片１２が進退駆動されて先端作動部材である把持片１１，１２が開閉をする。
【００１８】
このような構成の内視鏡用把持鉗子において、第１の指かけ５と第２の指かけ８との間の間隔Ｌ１と固定片１１と可動片１２との間の間隔Ｌ２とが同寸法に形成されている。即ちＬ１＝Ｌ２である。
【００１９】
したがって、図１に示されるように、第２の指かけ８を第１の指かけ５側に引き寄せて先端作動部材１１，１２を閉じた状態のときは、第２の指かけ８が第１の指かけ５に当接した状態になり、第２の指かけ８と第１の指かけ５に係合する指どうしがほぼ密接する。
【００２０】
その結果、固定片１１，１２がどの程度開いているのかを操作者が指の感触から容易に把握することができるので、固定片１１，１２に挟まれる患部の大きさや硬さを実感することができ、さらにどの程度の力を加えても出血しないか等の判断なども容易に行うことができる。
【００２１】
なお、把持鉗子の先端作動部材は、図５に示される第２の実施例のように、固定片１３と可動片１４をスプーン状に形成したものでもよく、その他どのような形状であっても差し支えない。
【００２８】
なお本発明は、上記実施例に限定されるものではなく、例えば軟性の挿入部を有する内視鏡に使用できるよう、連結管２とロッド３を可撓性のある部材で形成してもよい。
【００２９】
【発明の効果】
本発明によれば、スライダーの移動量と先端作動部材の移動量とが等しく、且つ先端作動部材が閉じ状態のときには手元側本体の指かけに係合させた指とスライダーの指かけに係合させた指とがほぼ密接するようにしたことにより、先端作動部材がどの程度開閉しているのかを操作者が容易に把握することができるので、先端作動部材に挟まれる患部の大きさや硬さを操作者が実感することができ、さらにどの程度の力を加えても出血しないか等の判断なども容易に行うことができて、熟練していない操作者でも容易に安全に使うことができる。
【図面の簡単な説明】
【図１】第１の実施例の閉じ状態の側面断面図である。
【図２】第１の実施例の側面断面図である。
【図３】第１の実施例のIII−III断面図である。
【図４】第１の実施例のIV−IV断面図である。
【図５】第２の実施例の先端作動部材部分の側面図である。
【符号の説明】
４  手元部本体
５  第１の指かけ
７  スライダー
８  第２の指かけ
１１  固定片（先端作動部材）
１２  可動片（先端作動部材）
【図１】
0003683922.tif 000002
【図２】
0003683922.tif 000003
【図３】
0003683922.tif 000004
【図４】
0003683922.tif 000005
【図５】
0003683922.tif 000006